(57)【要約】【課題】復水器において、入口水室から複数の細管への冷却媒体の流れをスムーズにして冷却効率の向上を可能とする。【解決手段】中空形状をなして蒸気流入口５１と水の排出口を有するハウジング４１と、このハウジング４１の端部に区画される入口水室４２（４２ａ，４２ｂ）及び出口水室４３（４３ａ，４３ｂ）と、ハウジング４１の内部で入口水室４２と出口水室４３を連結して内部に冷却水が流れると共に蒸気の流れと交差するように配置される多数の細管４４とを設けて構成し、入口水室４２における多数の細管４４の連結部に対向する位置に冷却水の取水管２７（２７ａ，２７ｂ）を連結する。【選択図】図１
2011145057.tif 000002
【特許請求の範囲】
【請求項１】
中空形状をなして蒸気の流入口と水の排出口を有するハウジングと、
該ハウジングの端部に区画される入口水室及び出口水室と、
前記ハウジングの内部で前記入口水室と前記出口水室を連結して内部に冷却媒体が流れると共に蒸気の流れと交差するように配置される多数の細管と、を備え、
前記入口水室における前記多数の細管の連結部に対向する位置に冷却媒体の流入部が設けられる、
ことを特徴とする復水器。
【請求項２】
前記細管における冷却媒体の流動方向と前記流入部における冷却媒体の流動方向とがほぼ直線状となるように設定されることを特徴とする請求項１に記載の復水器。
【請求項３】
前記細管と前記流入部とがほぼ平行となるように配置されることを特徴とする請求項１または２に記載の復水器。
【請求項４】
前記細管に対して前記流入部が所定角度だけ傾斜して配置されることを特徴とする請求項１または２に記載の復水器。
【請求項５】
前記流入部は、前記入口水室に連結される流入管を有し、前記入口水室と前記流入管との連結部に、冷却媒体の流動方向の下流側に向かって通路断面積が拡大する通路拡大部が設けられることを特徴とする請求項１から４のいずれか一つに記載の復水器。
【請求項６】
前記流入部は、前記入口水室に連結される流入管を有し、該流入管が前記入口水室における前記多数の細管の連結部に対向する壁面に連結され、前記流入管と前記入口水室の連結部に多数の貫通孔が設けられることを特徴とする請求項１から４のいずれか一つに記載の復水器。
【請求項７】
前記流入部は、前記入口水室に連結される流入管を有し、該流入管の先端部が前記入口水室内に嵌入され、該流入管の先端部における前記多数の細管の連結部に対向する位置に多数の貫通孔が設けられることを特徴とする請求項１から４のいずれか一つに記載の復水器。
【請求項８】
前記入口水室内に前記流入部から流入した冷却媒体を前記複数の細管に導くガイド板が設けられることを特徴とする請求項１から７のいずれか一つに記載の復水器。
【請求項９】
前記複数の細管は、所定数の細管からなる複数の細管ブロックをなし、前記ガイド板は、前記入口水室内に前記流入部から流入した冷却媒体の流量が前記各細管ブロックにほぼ均等に分流されるように配置されることを特徴とする請求項８に記載の復水器。
【請求項１０】
前記ガイド板は、冷却媒体のガイド面の角度が調整可能に設けられることを特徴とする請求項８または９に記載の復水器。
【請求項１１】
前記多数の細管は、蒸気の流れ方向に分割される複数の細管ブロックを構成し、前記入口水室は、該複数の細管ブロックに対応して複数設けられることを特徴とする請求項１に記載の復水器。
【請求項１２】
前記複数の入口水室における前記細管ブロックの連結部に対向する位置にチャンバが連結され、該チャンバに冷却媒体が導入されることを特徴とする請求項１１に記載の復水器。
【請求項１３】
前記チャンバは、冷却媒体の流れが前記多数の細管を流れる冷却媒体の流れと交差するように取水部が設けられ、該取水部から前記チャンバに流れ込んだ冷却媒体を前記複数の入口水室に導くガイドが設けられることを特徴とする請求項１２に記載の復水器。
【請求項１４】
前記ハウジングは、分割される細管ブロックの分割数に対応して複数に分割されることを特徴とする請求項１１から１３のいずれか一つに記載の復水器。
【発明の詳細な説明】
【技術分野】
【０００１】
本発明は、発電プラントにおいて、例えば、蒸気タービンで使用した蒸気を冷却水との熱交換により冷却凝縮して水に戻す復水器に関するものである。
【背景技術】
【０００２】
例えば、従来の原子力発電プラントでは、軽水を原子炉冷却材及び中性子減速材として使用し、炉心全体にわたって沸騰しない高温高圧水とし、この高温高圧水を蒸気発生器に送って熱交換により蒸気を発生させ、この蒸気をタービン発電機へ送って発電している。この場合、タービン発電機の発電に使用した蒸気は、復水器で冷却されて復水となり、再び蒸気発生器に戻される。
【０００３】
従来の復水器において、中空形状をなすハウジングの上部に蒸気の流入口が設けられ、下部に水（復水）の排出口が設けられると共に、ハウジングの一端部に入口水室が設けられ、他端部に出口水室が設けられ、この入口水室と出口水室を連結するように内部に冷却媒体が流れる多数の細管が配置されて構成されている。従って、冷却媒体は、多数の細管内に常時流動しており、流入口からハウジングの内部に流入した蒸気は、この冷却媒体との間で熱交換（冷却）が行われることで、水となり、排出口から排出される。
【０００４】
このような復水器にあっては、入口水室に冷却媒体の流入管が連結され、出口水室に冷却媒体の排出管が連結されており、冷却媒体は、流入管を通って入口水室に流入し、多数の細管を通って出口水室に流れ、排出管により排出される。原子力プラントでは、冷却媒体として海水が使用されることが一般的であり、流入管の基端部が海中に潜って配置されている。そのため、海水が流入管を通って入口水室に流入し、多数の細管に流れることとなる。
【０００５】
この海水には、貝類や藻類などの微生物が生息しており、多数の細管に微生物を含む海水が流れ込むと、この微生物が細管の内壁面に付着し、貝類や藻類に生育することで、この海洋生物が細管を閉塞させてしまうおそれがある。このような問題を解決するものとして、例えば、下記に記載した特許文献１に記載されたものがある。この特許文献１では、定期的に、海水に洗浄用スポンジボールを混ぜ、水室や細管にこのスポンジボールを流通させることで、付着した水垢を除去している。
【先行技術文献】
【特許文献】
【０００６】
【特許文献１】特開平０６−１９４０７１号公報
【発明の概要】
【発明が解決しようとする課題】
【０００７】
上述した特許文献１に記載された洗浄ボールの滞留防止装置では、スポンジボールによる水室や細管の洗浄時に、このスポンジボールが水室に滞留してしまうことを防止するため、この水室に滞留防止板を設けている。
【０００８】
この従来の復水器では、入口水室の下部に冷却水入口配管を連結し、冷却水がほぼ直角に曲がって流れることで複数の細管に導入される構造となっている。そのため、冷却水入口配管の冷却水がほぼ直角に曲がって各細管に導入されるとき、内側を流れる冷却水の流速は遅く、外側を流れる冷却水の流速が速いものとなる。すると、水室における冷却水の流れの外側に滞留防止板を設けたとしても、内側を流れる冷却水の流速が遅いため、この内側の領域に洗浄ボールが堆積しやすい。そのため、洗浄ボールによる細管の洗浄不良や洗浄ボールの回収不良などの問題が発生し、冷却効率の低下を招いてしまう。
【０００９】
本発明は、上述した課題を解決するものであり、入口水室から複数の細管への冷却媒体の流れをスムーズにして冷却効率の向上を可能とする復水器を提供することを目的とする。
【課題を解決するための手段】
【００１０】
上記の目的を達成するための本発明の復水器は、中空形状をなして蒸気の流入口と水の排出口を有するハウジングと、該ハウジングの端部に区画される入口水室及び出口水室と、前記ハウジングの内部で前記入口水室と前記出口水室を連結して内部に冷却媒体が流れると共に蒸気の流れと交差するように配置される多数の細管と、を備え、前記入口水室における前記多数の細管の連結部に対向する位置に冷却媒体の流入部が設けられる、ことを特徴とするものである。
【００１１】
本発明の復水器では、前記細管における冷却媒体の流動方向と前記流入部における冷却媒体の流動方向とがほぼ直線状となるように設定されることを特徴としている。
【００１２】
本発明の復水器では、前記細管と前記流入部とがほぼ平行となるように配置されることを特徴としている。
【００１３】
本発明の復水器では、前記細管に対して前記流入部が所定角度だけ傾斜して配置されることを特徴としている。
【００１４】
本発明の復水器では、前記流入部は、前記入口水室に連結される流入管を有し、前記入口水室と前記流入管との連結部に、冷却媒体の流動方向の下流側に向かって通路断面積が拡大する通路拡大部が設けられることを特徴としている。
【００１５】
本発明の復水器では、前記流入部は、前記入口水室に連結される流入管を有し、該流入管が前記入口水室における前記多数の細管の連結部に対向する壁面に連結され、前記流入管と前記入口水室の連結部に多数の貫通孔が設けられることを特徴としている。
【００１６】
本発明の復水器では、前記流入部は、前記入口水室に連結される流入管を有し、該流入管の先端部が前記入口水室内に嵌入され、該流入管の先端部における前記多数の細管の連結部に対向する位置に多数の貫通孔が設けられることを特徴としている。
【００１７】
本発明の復水器では、前記入口水室内に前記流入部から流入した冷却媒体を前記複数の細管に導くガイド板が設けられることを特徴としている。
【００１８】
本発明の復水器では、前記複数の細管は、所定数の細管からなる複数の細管ブロックをなし、前記ガイド板は、前記入口水室内に前記流入部から流入した冷却媒体の流量が前記各細管ブロックにほぼ均等に分流されるように配置されることを特徴としている。
【００１９】
本発明の復水器では、前記ガイド板は、冷却媒体のガイド面の角度が調整可能に設けられることを特徴としている。
【００２０】
本発明の復水器では、前記多数の細管は、蒸気の流れ方向に分割される複数の細管ブロックを構成し、前記入口水室は、該複数の細管ブロックに対応して複数設けられることを特徴としている。
【００２１】
本発明の復水器では、前記複数の入口水室における前記細管ブロックの連結部に対向する位置にチャンバが連結され、該チャンバに冷却媒体が導入されることを特徴としている。
【００２２】
本発明の復水器では、前記チャンバは、冷却媒体の流れが前記多数の細管を流れる冷却媒体の流れと交差するように前記取水部が設けられ、該取水部から前記チャンバに流れ込んだ冷却媒体を前記複数の入口水室に導くガイドが設けられることを特徴としている。
【００２３】
本発明の復水器では、前記ハウジングは、分割される細管ブロックの分割数に対応して複数に分割されることを特徴としている。
【発明の効果】
【００２４】
本発明の復水器によれば、ハウジングの端部に入口水室と出口水室を区画し、ハウジングの内部で入口水室と出口水室とを多数の細管により連結し、入口水室における多数の細管の連結部に対向する位置に冷却媒体の流入部を設けている。従って、冷却媒体は、流入部から入口水室を通って多数の細管にスムーズに流れ込むこととなり、冷却効率の向上を可能とすることができる。例えば、多数の細管の付着物を除去するために冷却媒体に洗浄ボールを混入した場合であっても、この洗浄ボールは、入口水室に滞留せずに各細管にスムーズに流れ込むことで、細管の洗浄作業を適正に行うことができ、また、この洗浄ボールの回収効率を向上することができる。
【００２５】
本発明の復水器によれば、細管における冷却媒体の流動方向と流入部における冷却媒体の流動方向とがほぼ直線状となるように設定するので、流入部から入口水室に流入した冷却媒体は、多数の細管にスムーズに流れ込むこととなり、冷却効率の向上を可能とすることができる。
【００２６】
本発明の復水器によれば、細管と流入部とをほぼ平行となるように配置するので、流入部から入口水室に流入した冷却媒体は、多数の細管にスムーズに流れ込むこととなり、冷却効率の向上を可能とすることができる。
【００２７】
本発明の復水器によれば、細管に対して流入部を所定角度だけ傾斜して配置するので、流入部から入口水室に流入した冷却媒体は、多数の細管にスムーズに流れ込むこととなり、冷却効率の向上を可能とすることができる。
【００２８】
本発明の復水器によれば、流入部として入口水室に連結される流入管を設け、入口水室と流入管との連結部に冷却媒体の流動方向の下流側に向かって通路断面積が拡大する通路拡大部を設けるので、冷却媒体は、通路拡大部により流入部から入口水室にスムーズに流れ、この入口水室から多数の細管によどみなく流れ込むこととなり、滞留領域を減少することができる。
【００２９】
本発明の復水器によれば、流入部として、入口水室に連結される流入管を設け、流入管を入口水室における多数の細管の連結部に対向する壁面に連結し、流入管と入口水室の連結部に多数の貫通孔を設けるので、冷却媒体は、流入管から多数の貫通孔を通って入口水室に流入し、更に多数の細管にスムーズに流れ込むこととなり、冷却効率の向上を可能とすることができる。
【００３０】
本発明の復水器によれば、流入部として、入口水室に連結される流入管を設け、流入管の先端部を入口水室内に嵌入し、流入管の先端部における多数の細管の連結部に対向する位置に多数の貫通孔を設けるので、冷却媒体は、流入管から多数の貫通孔を通って入口水室に流入し、更に多数の細管にスムーズに流れ込むこととなり、冷却効率の向上を可能とすることができる。
【００３１】
本発明の復水器によれば、入口水室内に流入部から流入した冷却媒体を複数の細管に導くガイド板を設けるので、冷却媒体は、流入管からガイド板に案内され、入口水室を通って多数の細管にスムーズに流れ込むこととなり、冷却効率の向上を可能とすることができる。
【００３２】
本発明の復水器によれば、複数の細管を所定数の細管からなる複数の細管ブロックとして構成し、ガイド板を入口水室内に流入部から流入した冷却媒体の流量が各細管ブロックにほぼ均等に分流されるように配置するので、各細管に対してほぼ同じ流量の冷却媒体を供給することができ、冷却効率の向上を可能とすることができる。
【００３３】
本発明の復水器によれば、ガイド板における冷却媒体のガイド面の角度を調整可能とするので、冷却媒体の流動形態に応じて最適なガイド面の角度を設定することができる。
【００３４】
本発明の復水器によれば、多数の細管を蒸気の流れ方向に分割される複数の細管ブロックにより構成し、入口水室を複数の細管ブロックに対応して複数設けるので、冷却媒体は、流入部から複数の入口水室に流れ、各細管ブロックの細管にスムーズに流れ込むこととなり、冷却効率の向上を可能とすることができる。
【００３５】
本発明の復水器によれば、複数の入口水室における細管ブロックの連結部に対向する位置にチャンバを連結し、チャンバに冷却媒体が導入するので、冷却媒体は、一旦チャンバに流入し、このチャンバで動圧が低下してから各入口水室に流れ込むことで圧力損失が低減され、冷却媒体を各細管にスムーズに流し込むことができる。
【００３６】
本発明の復水器によれば、チャンバに冷却媒体の流れが多数の細管を流れる冷却媒体の流れと交差するように取水部を設け、取水部からチャンバに流れ込んだ冷却媒体を複数の入口水室に導くガイドを設けるので、冷却媒体は、流入管からチャンバに流入してからガイド板に案内されて各入口水室に流れ込み、その後に各細管に流れ込むこととなり、冷却媒体を各細管に安定して案内することができ、冷却効率の向上を可能とすることができる。
【００３７】
本発明の復水器によれば、ハウジングを分割される細管ブロックの分割数に対応して複数に分割するので、分割された一つのハウジングの小型化が可能となり、搬送を容易に行うことが可能となる。
【図面の簡単な説明】
【００３８】
【図１】図１は、本発明の実施例１に係る復水器を表す全体構成図である。
【図２】図２は、実施例１の復水器における入口水室の正面概略図である。
【図３】図３は、実施例１の復水器における入口水室の平面概略図である。
【図４】図４は、実施例１の復水器が適用された原子力発電プラントの概略構成図である。
【図５】図５は、本発明の実施例２に係る復水器における入口水室の正面概略図である。
【図６】図６は、本発明の実施例３に係る復水器における入口水室の正面概略図である。
【図７】図７は、本発明の実施例４に係る復水器における入口水室の正面概略図である。
【図８】図８は、実施例４の復水器における入口水室の平面概略図である。
【図９】図９は、本発明の実施例５に係る復水器における入口水室の正面概略図である。
【図１０】図１０は、本発明の実施例６に係る復水器における入口水室の正面概略図である。
【図１１】図１１は、実施例６の復水器における入口水室の平面概略図である。
【図１２】図１２は、実施例６の変形例における復水器の入口水室の平面概略図である。
【図１３】図１３は、実施例６の別の変形例における復水器の入口水室の正面概略図である。
【図１４】図１４は、本発明の実施例７に係る復水器における入口水室の正面概略図である。
【図１５】図１５は、本発明の実施例８に係る復水器における入口水室の正面概略図である。
【図１６】図１６は、本発明の実施例９に係る復水器における入口水室の正面概略図である。
【図１７】図１７は、本発明の実施例１０に係る復水器における入口水室の正面概略図である。
【図１８】図１８は、本発明の実施例１１に係る復水器における入口水室の正面概略図である。
【図１９】図１９は、実施例１１の変形例における復水器の入口水室の正面概略図である。
【図２０】図２０は、本発明の実施例１２に係る復水器を表す全体構成図である。
【図２１】図２１は、実施例１２の復水器における入口水室の正面概略図である。
【図２２】図２２は、本発明の実施例１３に係る復水器における入口水室の正面概略図である。
【図２３】図２３は、本発明の実施例１４に係る復水器における入口水室の正面概略図である。
【発明を実施するための形態】
【００３９】
以下に添付図面を参照して、本発明に係る復水器の好適な実施例を詳細に説明する。なお、この実施例により本発明が限定されるものではない。
【実施例１】
【００４０】
図１は、本発明の実施例１に係る復水器を表す全体構成図、図２は、実施例１の復水器における入口水室の正面概略図、図３は、実施例１の復水器における入口水室の平面概略図、図４は、実施例１の復水器が適用された原子力発電プラントの概略構成図である。
【００４１】
実施例１の原子炉は、軽水を原子炉冷却材及び中性子減速材として使用し、炉心全体にわたって沸騰しない高温高圧水とし、この高温高圧水を蒸気発生器に送って熱交換により蒸気を発生させ、この蒸気をタービン発電機へ送って発電する加圧水型原子炉（ＰＷＲ：Pressurized Water Reactor）である。
【００４２】
実施例１の加圧水型原子炉を有する原子力発電プラントにおいて、図４に示すように、原子炉格納容器１１内には、加圧水型原子炉１２及び蒸気発生器１３が格納されており、この加圧水型原子炉１２と蒸気発生器１３とは冷却水配管１４，１５を介して連結されており、冷却水配管１４に加圧器１６が設けられ、冷却水配管１５に冷却水ポンプ１５ａが設けられている。この場合、減速材及び一次冷却水（冷却材）として軽水を用い、炉心部における一次冷却水の沸騰を抑制するために、一次冷却系統は加圧器１６により１５０〜１６０気圧程度の高圧状態を維持するように制御している。従って、加圧水型原子炉１２にて、燃料（原子燃料）として低濃縮ウランまたはＭＯＸにより一次冷却水として軽水が加熱され、高温の一次冷却水が加圧器１６により所定の高圧に維持した状態で冷却水配管１４を通して蒸気発生器１３に送られる。この蒸気発生器１３では、高圧高温の一次冷却水と二次冷却水との間で熱交換が行われ、冷やされた一次冷却水は冷却水配管１５を通して加圧水型原子炉１２に戻される。
【００４３】
蒸気発生器１３は、蒸気タービン１７と冷却水配管１８を介して連結されており、この蒸気タービン１７は高圧タービン１９及び低圧タービン２０を有すると共に、発電機２１が接続されている。また、高圧タービン１９と低圧タービン２０との間には、湿分分離加熱器２２が設けられており、冷却水配管１８から分岐した冷却水分岐配管２３が湿分分離加熱器２２に連結される一方、高圧タービン１９と湿分分離加熱器２２は低温再熱管２４により連結され、湿分分離加熱器２２と低圧タービン２０は高温再熱管２５により連結されている。
【００４４】
更に、蒸気タービン１７の低圧タービン２０は、復水器２６を有しており、この復水器２６には冷却水（例えば、海水）を給排する取水管２７及び排水管２８が連結されている。この取水管２７は、循環水ポンプ２９を有し、排水管２８と共に他端部が海中に配置されている。そして、この復水器２６は、冷却水配管３０を介して脱気器３１に連結されており、この冷却水配管３０に復水ポンプ３２及び低圧給水加熱器３３が設けられている。また、脱気器３１は、冷却水配管３４を介して蒸気発生器１３に連結されており、この冷却水配管３４には給水ポンプ３５及び高圧給水加熱器３６が設けられている。
【００４５】
従って、蒸気発生器１３にて、高圧高温の一次冷却水と熱交換を行って生成された蒸気は、冷却水配管１８を通して蒸気タービン１７（高圧タービン１９から低圧タービン２０）に送られ、この蒸気により蒸気タービン１７を駆動して発電機２１により発電を行う。このとき、蒸気発生器１３からの蒸気は、高圧タービン１９を駆動した後、湿分分離加熱器２２で蒸気に含まれる湿分が除去されると共に加熱されてから低圧タービン２０を駆動する。そして、蒸気タービン１７を駆動した蒸気は、復水器２６で海水を用いて冷却されて復水となり、低圧給水加熱器３３で、例えば、低圧タービン２０から抽気した低圧蒸気により加熱され、脱気器３１で溶存酸素や不凝結ガス（アンモニアガス）などの不純物が除去された後、高圧給水加熱器３６で、例えば、高圧タービン１９から抽気した高圧蒸気により加熱された後、蒸気発生器１３に戻される。
【００４６】
このように構成された原子力発電プラントに適用される復水器２６は、図１乃至図３に示すように、ハウジング４１と、入口水室４２（４２ａ，４２ｂ）及び出口水室４３（４３ａ，４３ｂ）と、多数の細管４４（細管ブロック４４ａ，４４ｂ）とから構成されている。
【００４７】
ハウジング４１は、箱型で上部が四角錐台の中空形状をなし、上部に低圧タービン２０で使用された蒸気が流入する蒸気流入口５１が形成される一方、下部には、この蒸気が凝縮して生成された水（復水）を冷却水配管３０（図４参照）に排出する図示しない排水口が形成されている。
【００４８】
ハウジング４１は、その長手方向（水平方向）の一端部に２つの入口水室４２ａ，４２ｂが水平方向に並んで設けられ、他端部に２つの出口水室４３ａ，４３ｂが水平方向に並んで設けられている。この場合、入口水室４２ａ，４２ｂと出口水室４３ａ，４３ｂは、水平方向に対向した位置に配置されており、各管板５２，５３によりハウジング４１の内部に対して区画され、閉塞した各水室として機能することができる。
【００４９】
多数の細管４４は、ハウジング４１の内部に配設され、同数の細管４４からなる２つの細管ブロック４４ａ，４４ｂとして構成されている。そして、各細管ブロック４４ａ，４４ｂを構成する複数の細管４４は、一端部が管板５２に貫通するように支持され、他端部が管板５３に貫通するように支持されている。そのため、入口水室４２ａ，４２ｂと出口水室４３ａ，４３ｂは、細管ブロック４４ａ，４４ｂの各細管４４によりそれぞれ連通している。また、各細管４４は、ハウジング４１内にて、複数の支持板５４を貫通して支持されている。
【００５０】
この場合、低圧タービン２０からの蒸気は、ハウジング４１内を蒸気流入口５１から排水口へと上下に流れ、この蒸気と熱交換（冷却）する冷却水（冷却媒体としての海水）は、入口水室４２ａ，４２ｂから各細管４４を通って出口水室４３ａ，４３ｂへ水平に流れることから、蒸気の流れと冷却水の流れは、混合せずに交差するものとなっている。
【００５１】
入口水室４２ａ，４２ｂは、ほぼ同様に形状をなし、断面が半円の中空形状をなし、ハウジング４１の端部に管板５２を介して固定されている。そして、入口水室４２ａ，４２ｂは、側部に取水管（流入部、流入管）２７ａ，２７ｂの端部が連結され、この取水管２７ａ，２７ｂを通して各入口水室４２ａ，４２ｂに冷却水を流入可能となっている。
【００５２】
この場合、取水管２７ａ，２７ｂは、入口水室４２ａ，４２ｂにおける多数の細管４４の連結部、つまり、管板５２に対向する位置であって、入口水室４２ａにおける上下方向の中間部に連結されている。そして、細管４４における冷却水の流動方向と、取水管２７ａ，２７ｂから入口水室４２ａ，４２ｂに流入する冷却水の流動方向とが、ほぼ直線状となるように取水管２７ａ，２７ｂの連結角度が設定されている。即ち、取水管２７ａ，２７ｂは、入口水室４２ａ，４２ｂへの連結端部が細管４４とほぼ平行となるように配置されている。
【００５３】
一方、出口水室４３ａ，４３ｂは、ほぼ同様に形状をなし、断面が半円の中空形状をなし、ハウジング４１の端部に管板５３を介して固定されている。そして、出口水室４３ａ，４３ｂは、下部に排水管２８ａ，２８ｂの端部が連結され、この排水管２８ａ，２８ｂを通して各出口水室４３ａ，４３ｂの冷却水を排出可能となっている。
【００５４】
なお、一般に、復水器２６は、地盤の上に基礎を構築し、この基礎上に設置されており、従来は、取水管２７ａ，２７ｂが入口水室４２ａ，４２ｂの下部に連結されていたが、本実施例では、正面、つまり、各細管４４の連結部に対向する壁面に連結している。そのため、取水管２７ａ，２７ｂの設置のための掘削作業などが不要となり、製造コストが低減される。
【００５５】
従って、低圧タービン２０からの蒸気は、蒸気流入口５１からハウジング４１内に入り、複数の細管４４と接触する。一方、冷却水は、取水管２７ａ（２７ｂ）から入口水室４２ａ（４２ｂ）に流入し、この入口水室４２ａ（４２ｂ）から各細管４４に流れ込む。そのため、ハウジング４１内を上部から下部に流れる蒸気と各細管４４内を水平に流れる冷却水との間で熱交換が行われ、蒸気は凝縮して復水となり、排水口から冷却水配管３０に排出される。また、蒸気を冷却した冷却水は、各細管４４から出口水室４３ａ（４３ｂ）に流れ、排水管２８ａ（２８ｂ）に排出され、海に放水、または取水管２７ａ（２７ｂ）に循環される。
【００５６】
この冷却水の流れにおいて、本実施例では、取水管２７ａ，２７ｂの端部が入口水室４２ａ，４２ｂにおける各細管４４の連結部（管板５２）に対向する位置に連結されている。そのため、取水管２７ａ（２７ｂ）から入口水室４２ａ（４２ｂ）に流入した冷却水は、この入口水室４２ａ（４２ｂ）内を広がるように流れ、この流れと略平行な各細管４４にスムーズに流れ込むこととなる。
【００５７】
また、入口水室４２ａ（４２ｂ）や各細管４４の内面が貝類などの付着や水垢などで汚れた場合には、洗浄ボールを用いてこの付着物を除去する洗浄作業を行う。即ち、取水管２７ａ（２７ｂ）の所定の箇所から多数の洗浄ボールを入れ、入口水室４２ａ（４２ｂ）を通して各細管４４に導入し、内面の付着物をこの洗浄ボールにより除去する。このとき、上述したように、冷却水は、取水管２７ａ（２７ｂ）から入口水室４２ａ（４２ｂ）に流入し、この入口水室４２ａ（４２ｂ）内を広がるように流れて各細管４４に流れ込むため、洗浄ボールも同様に、取水管２７ａ（２７ｂ）から入口水室４２ａ（４２ｂ）に流入する冷却水の偏流により適正に各細管４４に流れ込むこととなる。そのため、洗浄ボールが入口水室４２ａ（４２ｂ）の隅部などに滞留することはなく、ほぼ全量が細管４４内に流れ込んで適正に洗浄することができる。
【００５８】
このように実施例１の復水器にあっては、中空形状をなして蒸気流入口５１と水の排出口を有するハウジング４１と、このハウジング４１の端部に区画される入口水室４２（４２ａ，４２ｂ）及び出口水室４３（４３ａ，４３ｂ）と、ハウジング４１の内部で入口水室４２と出口水室４３を連結して内部に冷却水が流れると共に蒸気の流れと交差するように配置される多数の細管４４とを設けて構成し、入口水室４２における多数の細管４４の連結部に対向する位置に冷却水の取水管２７（２７ａ，２７ｂ）を連結している。
【００５９】
従って、冷却水は、取水管２７から入口水室４２を通って多数の細管４４にスムーズに流れ込むこととなり、蒸気との冷却効率の向上を可能とすることができる。この場合、多数の細管４４の付着物を除去するために、冷却水に洗浄ボールを混入して洗浄作業を行う場合であっても、この洗浄ボールは、入口水室４２に滞留せずに各細管４４にスムーズに流れ込むことで、細管４４の洗浄作業を適正に行うことができ、また、この洗浄ボールの回収効率を向上することができる。
【００６０】
また、実施例１の復水器では、細管４４における冷却水の流動方向と入口水室４２に連結される取水管２７の端部における冷却水の流動方向とがほぼ直線状となるように取水管２７の取付角度や取付位置を設定している。この場合、細管４４と取水管２７の端部とをほぼ平行となるように配置している。従って、取水管２７から入口水室４２に流入した冷却水は、その流れ方向がほぼ同様な各細管４４にスムーズに流れ込むこととなり、各細管４４へほぼ均等に洗浄ボールが入り込むこととなり、洗浄効率を向上することができる。
【実施例２】
【００６１】
図５は、本発明の実施例２に係る復水器における入口水室の正面概略図である。なお、前述した実施例で説明したものと同様の機能を有する部材には同一の符号を付して重複する説明は省略する。
【００６２】
実施例２の復水器は、図５に示すように、ハウジング４１と、入口水室４２ａ及び出口水室４３ａ（図１参照）と、多数の細管４４（細管ブロック４４ａ）とから構成され、取水管２７ａは、入口水室４２ａにおける多数の細管４４の連結部、つまり、管板５２に対向する位置に連結されている。そして、細管４４における冷却水の流動方向に対して、取水管２７ａから入口水室４２ａに流入する冷却水の流動方向が、所定角度だけ傾斜して配置されている。
【００６３】
即ち、取水管２７ａは、冷却水の流動方向の下流側が上方に向かうように傾斜して配置され、先端部が入口水室４２ａの下部に連結されている。この場合、取水管２７ａは、先端部を、上述した実施例１と同様に、入口水室４２ａにおける上下方向の中間部に連結してもよいが、傾斜状態に配置された場合には、下部に連結する方が冷却水の流れがスムーズとなる。
【００６４】
従って、冷却水は、取水管２７ａから入口水室４２ａに流入し、この入口水室４２ａから各細管４４に流れ込み、ここで蒸気との熱交換が行われる。この冷却水の流れにおいて、本実施例では、取水管２７ａの端部が入口水室４２ａにおける各細管４４の連結部（管板５２）に対向する位置の下部に傾斜して連結されている。そのため、取水管２７ａから入口水室４２ａに流入した冷却水は、この入口水室４２ａ内で下部から上部に向かって広がるように流れ、この流れと略平行な各細管４４にスムーズに流れ込むこととなる。
【００６５】
また、入口水室４２ａや各細管４４の洗浄時には、取水管２７ａに投入された多数の洗浄ボールが、冷却水の流れと同様に、取水管２７ａから入口水室４２ａに流入し、この入口水室４２ａ内で下部から上部に向かって広がるように流れて各細管４４に流れ込むため、取水管２７ａから入口水室４２ａに流入する冷却水の偏流により適正に各細管４４に流れ込むこととなる。そのため、洗浄ボールが入口水室４２ａの隅部などに滞留することはなく、ほぼ全量が細管４４内に流れ込んで適正に洗浄することができる。
【００６６】
このように実施例２の復水器にあっては、ハウジング４１の端部に入口水室４２ａを区画し、複数の細管４４の一端部をこの入口水室４２ａに連通するように連結し、入口水室４２ａにおける多数の細管４４の連結部に対向する位置の下部に冷却水の取水管２７ａの端部を傾斜状態で連結している。
【００６７】
従って、冷却水は、取水管２７ａから入口水室４２ａ内を上方に広がるように流れて多数の細管４４にスムーズに流れ込むこととなり、蒸気との冷却効率の向上を可能とすることができる。また、細管４４の洗浄作業時に、冷却水に洗浄ボールを混入して洗浄作業を行うとき、この洗浄ボールは、入口水室４２ａに滞留せずに各細管４４にスムーズに流れ込むことで、細管４４の洗浄作業を適正に行うことができ、また、この洗浄ボールの回収効率を向上することができる。
【実施例３】
【００６８】
図６は、本発明の実施例３に係る復水器における入口水室の正面概略図である。なお、前述した実施例で説明したものと同様の機能を有する部材には同一の符号を付して重複する説明は省略する。
【００６９】
実施例３の復水器は、図６に示すように、ハウジング４１と、入口水室４２ａ及び出口水室４３ａ（図１参照）と、多数の細管４４（細管ブロック４４ａ）とから構成され、入口水室４２ａを水平方向に長くし、取水管２７ａの端部を入口水室４２ａにおける多数の細管４４の連結部、つまり、管板５２に対向する位置に連結している。
【００７０】
即ち、入口水室４２ａの奥行き、つまり、取水管２７ａの端部が連結される壁面から管板５２までの距離は、取水管２７ａの径の５倍程度に設定している。
【００７１】
従って、冷却水は、取水管２７ａから入口水室４２ａに流入し、この入口水室４２ａ内で広がるように流れ、この流れと略平行な各細管４４にスムーズに流れ込むこととなる。また、多数の洗浄ボールも、取水管２７ａから入口水室４２ａに流入し、この入口水室４２ａ内で広がるように流れて各細管４４に流れ込むため、入口水室４２ａの隅部などに滞留することはない。
【００７２】
このように実施例３の復水器にあっては、入口水室４２ａの奥行きを取水管２７ａの径の５倍程度に設定し、ハウジング４１の端部に入口水室４２ａを区画し、複数の細管４４の一端部をこの入口水室４２ａに連通するように連結し、入口水室４２ａにおける多数の細管４４の連結部に対向する位置に冷却水の取水管２７ａの端部を連結している。
【００７３】
従って、冷却水は、取水管２７ａから入口水室４２ａ内を上方に広がるように流れて多数の細管４４にスムーズに流れ込むこととなり、蒸気との冷却効率の向上を可能とすることができる。また、細管４４の洗浄作業時に、冷却水に洗浄ボールを混入して洗浄作業を行うとき、この洗浄ボールは、入口水室４２ａに滞留せずに各細管４４にスムーズに流れ込むことで、細管４４の洗浄作業を適正に行うことができ、また、この洗浄ボールの回収効率を向上することができる。
【実施例４】
【００７４】
図７は、本発明の実施例４に係る復水器における入口水室の正面概略図、図８は、実施例４の復水器における入口水室の平面概略図である。なお、前述した実施例で説明したものと同様の機能を有する部材には同一の符号を付して重複する説明は省略する。
【００７５】
実施例４の復水器は、図７及び図８に示すように、ハウジング４１と、入口水室４２ａ及び出口水室４３ａ（図１参照）と、多数の細管４４（細管ブロック４４ａ）とから構成され、取水管２７ａは、入口水室４２ａにおける多数の細管４４の連結部に対向する位置に連結されている。そして、取水管２７ａの端部と入口水室４２ａとの連結部には、冷却水の流動方向の下流側に向かって通路断面積が拡大する通路拡大部としてのスロープ６１が設けられている。
【００７６】
即ち、取水管２７ａは、冷却水の流動方向の下流側端部がラッパ状をなすスロープ６１を介して入口水室４２ａに連結されている。この場合、取水管２７ａの先端部にあるスロープ６１は、曲線をなす斜面により形成され、全周が広がる形状となっているが、入口水室４２ａが上下に長い形状をなすことから、取水管２７ａの先端部は、上側及び下側のみ広がる形状としてもよい。
【００７７】
従って、冷却水は、取水管２７ａからスロープ６１を通して入口水室４２ａに流入することから、この入口水室４２ａ内を広がるように流れ、この流れと略平行な各細管４４にスムーズに流れ込むこととなる。また、多数の洗浄ボールも、取水管２７ａから入口水室４２ａに流入し、この入口水室４２ａ内を広がるように流れて各細管４４に流れ込むため、入口水室４２ａの隅部などに滞留することはない。
【００７８】
このように実施例４の復水器にあっては、ハウジング４１の端部に入口水室４２ａを区画し、複数の細管４４の一端部をこの入口水室４２ａに連通するように連結し、入口水室４２ａにおける多数の細管４４の連結部に対向する位置に冷却水の取水管２７ａの端部を通路断面積が拡大するスロープ６１を介して連結している。
【００７９】
従って、冷却水は、取水管２７ａからスロープ６１を通って入口水室４２ａに流入するため、ここで広がるように流れて多数の細管４４にスムーズに流れ込むこととなり、蒸気との冷却効率の向上を可能とすることができる。また、細管４４の洗浄作業時に、冷却水に洗浄ボールを混入して洗浄作業を行うとき、この洗浄ボールは、入口水室４２ａに滞留せずに各細管４４にスムーズに流れ込むことで、細管４４の洗浄作業を適正に行うことができ、また、この洗浄ボールの回収効率を向上することができる。
【実施例５】
【００８０】
図９は、本発明の実施例５に係る復水器における入口水室の正面概略図である。なお、前述した実施例で説明したものと同様の機能を有する部材には同一の符号を付して重複する説明は省略する。
【００８１】
実施例５の復水器は、図９に示すように、ハウジング４１と、入口水室４２ａ及び出口水室４３ａ（図１参照）と、多数の細管４４（細管ブロック４４ａ）とから構成され、取水管２７ａは、入口水室４２ａにおける多数の細管４４の連結部に対向する位置に連結されている。そして、取水管２７ａの端部と入口水室４２ａとの連結部には、冷却水の流動方向の下流側に向かって通路断面積が拡大する通路拡大部としてのテーパ部６２が設けられている。
【００８２】
即ち、取水管２７ａは、冷却水の流動方向の下流側端部がラッパ状に傾斜するテーパ部６２を介して入口水室４２ａに連結されている。この場合、取水管２７ａの先端部にあるテーパ部６２は、直線をなす斜面により形成され、先端部が入口水室４２ａの角部に一致している。なお、このテーパ部６２は、全周が広がる形状となっているが、入口水室４２ａが上下に長い形状をなすことから、上側及び下側のみ広がる形状としてもよい。
【００８３】
従って、冷却水は、取水管２７ａからテーパ部６２を通して入口水室４２ａに流入することから、この入口水室４２ａ内を広がるように流れ、この流れと略平行な各細管４４にスムーズに流れ込むこととなる。また、多数の洗浄ボールも、取水管２７ａから入口水室４２ａに流入し、この入口水室４２ａ内を広がるように流れて各細管４４に流れ込むため、入口水室４２ａの隅部などに滞留することはない。
【００８４】
このように実施例５の復水器にあっては、ハウジング４１の端部に入口水室４２ａを区画し、複数の細管４４の一端部をこの入口水室４２ａに連通するように連結し、入口水室４２ａにおける多数の細管４４の連結部に対向する位置に冷却水の取水管２７ａの端部を通路断面積が拡大するテーパ部６２を介して連結している。
【００８５】
従って、冷却水は、取水管２７ａからテーパ部６２を通って入口水室４２ａに流入するため、ここで広がるように流れて多数の細管４４にスムーズに流れ込むこととなり、蒸気との冷却効率の向上を可能とすることができる。また、細管４４の洗浄作業時に、冷却水に洗浄ボールを混入して洗浄作業を行うとき、この洗浄ボールは、入口水室４２ａに滞留せずに各細管４４にスムーズに流れ込むことで、細管４４の洗浄作業を適正に行うことができ、また、この洗浄ボールの回収効率を向上することができる。
【００８６】
また、実施例５の復水器では、取水管２７ａの先端部にあるテーパ部６２は、直線をなす斜面により形成され、先端部が入口水室４２ａの角部に一致、つまり、テーパ部６２が入口水室４２ａの広さまで拡大している。従って、入口水室４２ａ内で冷却水や洗浄ボールにおける流れの死角をなくし、この冷却水や洗浄ボールを各細管４４にスムーズに流すことができる。
【００８７】
なお、上述した実施例４、５にて、スロープ６１やテーパ部６２の広がり形状や入口水室４２ａへの連結位置は、各実施例に限定されるものではなく、適宜設定すればよく、例えば、スロープ６１を逆に湾曲させたりしてもよい。
【実施例６】
【００８８】
図１０は、本発明の実施例６に係る復水器における入口水室の正面概略図、図１１は、実施例６の復水器における入口水室の平面概略図、図１２は、実施例６の変形例における復水器の入口水室の平面概略図、図１３は、実施例６の別の変形例における復水器の入口水室の正面概略図である。なお、前述した実施例で説明したものと同様の機能を有する部材には同一の符号を付して重複する説明は省略する。
【００８９】
実施例６の復水器は、図１０及び図１１に示すように、ハウジング４１と、入口水室７１及び出口水室（図示略）と、多数の細管４４（細管ブロック４４ａ）とから構成され、取水管２７ａは、入口水室７１における多数の細管４４の連結部に対向する壁面に連結され入口水室７１との連結部に多数の貫通孔７２が設けられている。
【００９０】
即ち、取水管２７ａは、先端部が下方から上方に延設され、先端（上端）から所定長さの領域で、入口水室７１側に対向する半円部がこの入口水室７１に形成された開口部に嵌合している。そして、取水管２７ａは、入口水室７１内に配設される半円部に多数の貫通孔７２が形成されている。即ち、取水管２７ａは、多数の貫通孔７２を通して入口水室７１に連通している。
【００９１】
従って、冷却水は、取水管２７ａ内を上昇し、多数の貫通孔７２によりほぼ直角に曲がるように流れてこの各貫通孔７２を通って入口水室７１に流入し、この入口水室７１から各細管４４にスムーズに流れ込むこととなる。また、多数の洗浄ボールも、取水管２７ａから各貫通孔７２を通って入口水室７１に流入し、この入口水室７１内を流れて各細管４４に流れ込むため、入口水室７１の隅部などに滞留することはない。
【００９２】
なお、取水管２７ａと入口水室７１との連結方法は、この実施例に限定されるものではない。
【００９３】
例えば、実施例６の変形例の復水器は、図１２に示すように、ハウジング４１と、入口水室７３及び出口水室（図示略）と、多数の細管４４（細管ブロック４４ａ）とから構成され、取水管２７ａの先端部が入口水室７３の下部から内部に嵌入され、この取水管２７ａの先端部における多数の細管４４の連結部に対向する位置に多数の貫通孔７４が設けられている。
【００９４】
即ち、取水管２７ａは、先端部が下方から上方に延設され、先端（上端）から所定長さの領域で、入口水室７３内に下部から嵌入している。そして、取水管２７ａは、入口水室７３内に配設される領域にて、管板５２に対向する半円部に多数の貫通孔７４が形成されている。即ち、取水管２７ａは、多数の貫通孔７４を通して入口水室７３に連通している。
【００９５】
従って、冷却水は、取水管２７ａ内を上昇し、多数の貫通孔７４によりほぼ直角に曲がるように流れてこの各貫通孔７４を通って入口水室７３に流入し、この入口水室７３から各細管４４にスムーズに流れ込むこととなる。また、多数の洗浄ボールも、取水管２７ａから各貫通孔７４を通って入口水室７３に流入し、この入口水室７３内を流れて各細管４４に流れ込むため、入口水室７３の隅部などに滞留することはない。
【００９６】
また、実施例６の他の変形例の復水器は、図１３に示すように、ハウジング４１と、入口水室７５及び出口水室（図示略）と、多数の細管４４（細管ブロック４４ａ）とから構成され、取水管２７ａは、入口水室７５における多数の細管４４の連結部に対向する壁面に連結され、入口水室７５との連結部に多数の貫通孔７６が設けられている。
【００９７】
即ち、取水管２７ａは、先端部が下方から上方に延設され、先端（上端）から所定長さの領域で、入口水室７５側に対向する面側に開口部が形成され、この開口部がこの入口水室７５に閉塞されるように連結されている。そして、入口水室７５における取水管２７ａが連結された領域に多数の貫通孔７６が形成されている。即ち、取水管２７ａは、多数の貫通孔７６を通して入口水室７５に連通している。
【００９８】
従って、冷却水は、取水管２７ａ内を上昇し、多数の貫通孔７６によりほぼ直角に曲がるように流れてこの各貫通孔７６を通って入口水室７５に流入し、この入口水室７５から各細管４４にスムーズに流れ込むこととなる。また、多数の洗浄ボールも、取水管２７ａから各貫通孔７６を通って入口水室７５に流入し、この入口水室７５内を流れて各細管４４に流れ込むため、入口水室７５の隅部などに滞留することはない。
【００９９】
なお、上述した実施例６にて、入口水室７１，７３，７５に対する取水管２７ａの先端部の連結方法は、上記したものに限定されるものではなく、取水管２７ａと入口水室７１，７３，７５との間に各細管４４に向かう冷却水の流れが形成されるような貫通孔７２，７４，７６が形成されていれば、どのような連結方法であってもよい。
【０１００】
このように実施例６の復水器にあっては、ハウジング４１の端部に入口水室７１，７３，７５を区画し、複数の細管４４の一端部をこの入口水室７１，７３，７５に連通するように連結し、入口水室７１，７３，７５における多数の細管４４の連結部に対向する位置に冷却水の取水管２７ａの端部を連結し、取水管２７ａの端部と入口水室７１，７３，７５との間に多数の貫通孔７２，７４，７６を形成している。
【０１０１】
従って、冷却水は、取水管２７ａから各貫通孔７２，７４，７６を通って入口水室７１，７３，７５に流入し、この入口水室７１，７３，７５から多数の細管４４にスムーズに流れ込むこととなり、蒸気との冷却効率の向上を可能とすることができる。また、細管４４の洗浄作業時に、冷却水に洗浄ボールを混入して洗浄作業を行うとき、この洗浄ボールは、入口水室７１，７３，７５に滞留せずに各細管４４にスムーズに流れ込むことで、細管４４の洗浄作業を適正に行うことができ、また、この洗浄ボールの回収効率を向上することができる。
【０１０２】
また、実施例６の復水器では、取水管２７ａを上下方向に沿って配設し、上端部を入口水室７１，７３，７５に連結しており、入口水室７１，７３，７５の側方への突出を防止して装置の小型化を可能とする一方で、蒸気との冷却効率の向上や細管４４の洗浄作業の効率化、洗浄ボールの回収効率の向上を可能とすることができる。
【実施例７】
【０１０３】
図１４は、本発明の実施例７に係る復水器における入口水室の正面概略図である。なお、前述した実施例で説明したものと同様の機能を有する部材には同一の符号を付して重複する説明は省略する。
【０１０４】
実施例７の復水器は、図１４に示すように、ハウジング４１と、入口水室４２ａ及び出口水室４３ａ（図１参照）と、多数の細管４４（細管ブロック４４ａ）とから構成され、取水管２７ａの端部を入口水室４２ａにおける多数の細管４４の連結部、つまり、管板５２に対向する位置に連結している。
【０１０５】
そして、取水管２７ａ及び入口水室４２ａは、内部に冷却水を複数の細管４４に導くガイド板８１，８２が設けられている。この場合、複数の細管４４からなる細管ブロック４４ａは、更に、所定数の細管４４からなり、上下に分割された複数（本実施例では３つ）の細管ブロックＡ１，Ａ２，Ａ３からなる。ガイド板８１，８２は、入口水室４２ａ内に流入した冷却水の流量が各細管ブロックＡ１，Ａ２，Ａ３にほぼ均等に分流されるように配置されている。
【０１０６】
即ち、上部のガイド板８１は、基端部が取水管２７ａの端部であって、管径の上方１/３に位置し、先端部が入口水室４２ａにおける管板５２の近傍であって、細管ブロックＡ１，Ａ２の間に位置し、全体として上下方向に湾曲した形状となっている。一方、下部のガイド板８２は、基端部が取水管２７ａの端部であって、管径の下方１/３に位置し、先端部が入口水室４２ａにおける管板５２の近傍であって、細管ブロックＡ２，Ａ３の間に位置し、全体として上下方向に湾曲した形状となっている。
【０１０７】
従って、冷却水は、取水管２７ａから入口水室４２ａに流入し、この入口水室４２ａ内で広がるように流れ、この流れと略平行な各細管４４にスムーズに流れ込むこととなる。このとき、取水管２７ａ内の冷却水は、各ガイド板８１，８２によりほぼ３等分されて入口水室４２ａに流入し、３つの細管ブロックＡ１，Ａ２，Ａ３の各細管４４に均等に流れ込む。また、多数の洗浄ボールも、取水管２７ａから入口水室４２ａに流入し、ガイド板８１，８２により３つの細管ブロックＡ１，Ａ２，Ａ３の各細管４４に均等に流れ込み、入口水室４２ａに滞留することはない。
【０１０８】
このように実施例７の復水器にあっては、ハウジング４１の端部に入口水室４２ａを区画し、複数の細管４４の一端部をこの入口水室４２ａに連通するように連結し、入口水室４２ａにおける多数の細管４４の連結部に対向する位置に冷却水の取水管２７ａの端部を連結し、取水管２７ａと入口水室４２ａに冷却水を複数の細管４４に導くガイド板８１，８２を設けている。
【０１０９】
従って、冷却水は、取水管２７ａから入口水室４２ａ内を流入するとき、各ガイド板８１，８２によりほぼ均等に分割されることとなり、３つの細管ブロックＡ１，Ａ２，Ａ３における各細管４４に対してスムーズに、且つ、均等に流れ込むこととなり、蒸気との冷却効率の向上を可能とすることができる。また、細管４４の洗浄作業時に、冷却水に洗浄ボールを混入して洗浄作業を行うとき、この洗浄ボールは、入口水室４２ａに滞留せずに各細管４４にスムーズに、且つ、均等に流れ込むことで、細管４４の洗浄作業を適正に行うことができ、また、この洗浄ボールの回収効率を向上することができる。
【０１１０】
また、実施例７の復水器では、細管ブロック４４ａを、所定数の細管４４からなり、上下に分割された３つの細管ブロックＡ１，Ａ２，Ａ３として、ガイド板８１，８２を、入口水室４２ａ内に流入した冷却水の流量が各細管ブロックＡ１，Ａ２，Ａ３にほぼ均等に分流されるように配置している。従って、各細管ブロックＡ１，Ａ２，Ａ３に対して均等に冷却水を供給することで、各細管４４に対してほぼ同じ流量の冷却水を供給することができ、冷却効率の向上を可能とすることができる。
【０１１１】
なお、この実施例７にて、取水管２７ａ及び入口水室４２ａ内に２つのガイド板８１，８２を設けたが、入口水室４２ａだけに設けてもよく、その数も２つに限定されず、３つ以上設けてもよい。
【実施例８】
【０１１２】
図１５は、本発明の実施例８に係る復水器における入口水室の正面概略図である。なお、前述した実施例で説明したものと同様の機能を有する部材には同一の符号を付して重複する説明は省略する。
【０１１３】
実施例８の復水器は、図１５に示すように、ハウジング４１と、入口水室４２ａ及び出口水室４３ａ（図１参照）と、多数の細管４４（細管ブロック４４ａ）とから構成され、取水管２７ａの端部を入口水室４２ａにおける多数の細管４４の連結部、つまり、管板５２に対向する位置に連結している。
【０１１４】
そして、入口水室４２ａは、内部に支持軸８３，８４によりガイド板８５，８６が回動自在に支持され、駆動装置８７によりガイド面の角度を調整可能としている。この場合、ガイド板８５，８６は、上面及び下面がガイド面となる。また、駆動装置８７は、支持軸８３，８４を介してガイド板８５，８６を回動可能であるが、同期駆動可能としても、単独駆動可能としてもよい。
【０１１５】
従って、冷却水は、取水管２７ａから入口水室４２ａに流入し、この入口水室４２ａ内で広がるように流れ、この流れと略平行な各細管４４にスムーズに流れ込むこととなる。このとき、取水管２７ａ内の冷却水は、各ガイド板８５，８６によりほぼ３等分されて入口水室４２ａに流入し、３つの細管ブロックＡ１，Ａ２，Ａ３の各細管４４に均等に流れ込む。また、多数の洗浄ボールも、取水管２７ａから入口水室４２ａに流入し、ガイド板８５，８６により３つの細管ブロックＡ１，Ａ２，Ａ３の各細管４４に均等に流れ込み、入口水室４２ａに滞留することはない。
【０１１６】
また、冷却水の流動形態、例えば、冷却水に洗浄ボールが混入していないときと冷却水に洗浄ボールが混入したとき、または、冷却水の流量や流速、偏流などに応じて、駆動装置８７によりガイド板８５，８６を回動し、冷却水のガイド面の角度を調整する。そのため、入口水室４２ａ内で冷却水の最適な流れを生成することができる。
【０１１７】
このように実施例８の復水器にあっては、ハウジング４１の端部に入口水室４２ａを区画し、複数の細管４４の一端部をこの入口水室４２ａに連通するように連結し、入口水室４２ａにおける多数の細管４４の連結部に対向する位置に冷却水の取水管２７ａの端部を連結し、入口水室４２ａに冷却水を複数の細管４４に導くガイド板８５，８６を設け、このガイド板８５，８６における冷却水のガイド面の角度を駆動装置８７により調整可能としている。
【０１１８】
従って、冷却水は、取水管２７ａから入口水室４２ａ内を流入するとき、各ガイド板８５，８６によりほぼ均等に分割されることとなり、３つの細管ブロックＡ１，Ａ２，Ａ３における各細管４４に対してスムーズに、且つ、均等に流れ込むこととなり、蒸気との冷却効率の向上を可能とすることができる。また、細管４４の洗浄作業時に、冷却水に洗浄ボールを混入して洗浄作業を行うとき、この洗浄ボールは、入口水室４２ａに滞留せずに各細管４４にスムーズに、且つ、均等に流れ込むことで、細管４４の洗浄作業を適正に行うことができ、また、この洗浄ボールの回収効率を向上することができる。
【０１１９】
また、実施例８の復水器では、冷却水の流動形態に応じて、駆動装置８７によりガイド板８５，８６を回動して冷却水のガイド面の角度を調整可能としている。従って、入口水室４２ａ内で冷却水の最適な流れを生成することができる。
【実施例９】
【０１２０】
図１６は、本発明の実施例９に係る復水器における入口水室の正面概略図である。なお、前述した実施例で説明したものと同様の機能を有する部材には同一の符号を付して重複する説明は省略する。
【０１２１】
実施例９の復水器は、図１６に示すように、ハウジング４１と、入口水室４２ａ及び出口水室４３ａ（図１参照）と、多数の細管４４（細管ブロック４４ａ）とから構成され、取水管２７ａの端部を入口水室４２ａにおける下部に連結している。そして、取水管２７ａ及び入口水室４２ａは、内部に冷却水を複数の細管４４に導くガイド板９１が設けられている。このガイド板９１は、基端部が取水管２７ａの端部であって、管径の中央に位置し、先端部が入口水室４２ａにおける管板５２の近傍であって、上下方向における中間部に位置し、全体として左右方向に湾曲した形状となっている。
【０１２２】
従って、冷却水は、ガイド板９１に案内され、且つ、２分割されて取水管２７ａから入口水室４２ａに流入し、この入口水室４２ａの上方と下方にほぼ同量の冷却水が供給され、各細管４４にスムーズにほぼ均等に流れ込むこととなる。また、多数の洗浄ボールも、取水管２７ａから入口水室４２ａに流入し、ガイド板９１により上下にほぼ２分割され、各細管４４に均等に流れ込むこととなり、入口水室４２ａに滞留することはない。
【０１２３】
このように実施例９の復水器にあっては、ハウジング４１の端部に入口水室４２ａを区画し、複数の細管４４の一端部をこの入口水室４２ａに連通するように連結し、入口水室４２ａの下部に冷却水の取水管２７ａの端部を連結し、取水管２７ａと入口水室４２ａに冷却水を複数の細管４４に導くガイド板９１を設けている。
【０１２４】
従って、冷却水は、取水管２７ａから入口水室４２ａ内を流入するとき、ガイド板９１によりほぼ均等に分割されることとなり、細管ブロック４４ａにおける各細管４４に対してスムーズに、且つ、均等に流れ込むこととなり、蒸気との冷却効率の向上を可能とすることができる。また、細管４４の洗浄作業時に、冷却水に洗浄ボールを混入して洗浄作業を行うとき、この洗浄ボールは、入口水室４２ａに滞留せずに各細管４４にスムーズに、且つ、均等に流れ込むことで、細管４４の洗浄作業を適正に行うことができ、また、この洗浄ボールの回収効率を向上することができる。
【実施例１０】
【０１２５】
図１７は、本発明の実施例１０に係る復水器における入口水室の正面概略図である。なお、前述した実施例で説明したものと同様の機能を有する部材には同一の符号を付して重複する説明は省略する。
【０１２６】
実施例１０の復水器は、図１７に示すように、ハウジング４１と、入口水室４２ａ及び出口水室４３ａ（図１参照）と、多数の細管４４（細管ブロック４４ａ）とから構成され、取水管２７ａの端部を入口水室４２ａにおける下部に連結している。そして、入口水室４２ａは、内部に冷却水を複数の細管４４に導くガイド板９２ａ，９２ｂ，９２ｃ，９２ｄが設けられている。このガイド板９２ａ，９２ｂ，９２ｃ，９２ｄは、入口水室４２ａにおける各細管４４の連結部に対向する壁面から水平に延出され、上方側のガイド板９２ａが最も長く、下方側のガイド板９２ｄが最も短くなっている。この場合、各ガイド板９２ａ，９２ｂ，９２ｃ，９２ｄの先端位置は、入口水室４２ａにおける上端の管板５２の連結位置と、取水管２７ａの端部における入口水室４２ａの端面側の位置とを結ぶ直線Ｌ上に位置している。
【０１２７】
従って、冷却水は、取水管２７ａから入口水室４２ａに流入し、この、入口水室４２ａでガイド板９２ａ，９２ｂ，９２ｃ，９２ｄにより案内され、各細管４４にスムーズにほぼ均等に流れ込むこととなる。また、多数の洗浄ボールも、取水管２７ａから入口水室４２ａに流入し、ガイド板９２ａ，９２ｂ，９２ｃ，９２ｄにより案内されて各細管４４に均等に流れ込むこととなり、入口水室４２ａに滞留することはない。この場合、冷却水は、ガイド板９２ａ，９２ｂ，９２ｃ，９２ｄの取付領域には流れにくいことから、この領域への洗浄ボールの流れ込みはほとんどない。
【０１２８】
このように実施例１０の復水器にあっては、ハウジング４１の端部に入口水室４２ａを区画し、複数の細管４４の一端部をこの入口水室４２ａに連通するように連結し、入口水室４２ａの下部に冷却水の取水管２７ａの端部を連結し、入口水室４２ａに冷却水を複数の細管４４に導くガイド板９２ａ，９２ｂ，９２ｃ，９２ｄを設けている。
【０１２９】
従って、冷却水は、取水管２７ａから入口水室４２ａ内を流入するとき、ガイド板９２ａ，９２ｂ，９２ｃ，９２ｄにより案内されることとなり、細管ブロック４４ａにおける各細管４４に対してスムーズに流れ込むこととなり、蒸気との冷却効率の向上を可能とすることができる。また、細管４４の洗浄作業時に、冷却水に洗浄ボールを混入して洗浄作業を行うとき、この洗浄ボールは、入口水室４２ａに滞留せずに各細管４４にスムーズに流れ込むことで、細管４４の洗浄作業を適正に行うことができ、また、この洗浄ボールの回収効率を向上することができる。
【実施例１１】
【０１３０】
図１８は、本発明の実施例１１に係る復水器における入口水室の正面概略図、図１９は、実施例１１の変形例における復水器の入口水室の正面概略図である。なお、前述した実施例で説明したものと同様の機能を有する部材には同一の符号を付して重複する説明は省略する。
【０１３１】
実施例１１の復水器は、図１８に示すように、ハウジング４１と、入口水室４２ａ及び出口水室４３ａ（図１参照）と、多数の細管４４（細管ブロック４４ａ）とから構成され、取水管２７ａの端部を入口水室４２ａにおける下部に連結している。そして、入口水室４２ａは、内部に冷却水を複数の細管４４に導くガイド板９２ａ，９２ｂ，９２ｃ，９２ｄが設けられている。そして、このガイド板９２ａ，９２ｂ，９２ｃ，９２ｄは、入口水室４２ａに設けられた駆動装置９３ａ，９３ｂにより水平方向に移動可能に設けられている。
【０１３２】
従って、冷却水は、取水管２７ａから入口水室４２ａに流入し、この、入口水室４２ａでガイド板９２ａ，９２ｂ，９２ｃ，９２ｄにより案内され、各細管４４にスムーズにほぼ均等に流れ込むこととなる。また、多数の洗浄ボールも、取水管２７ａから入口水室４２ａに流入し、ガイド板９２ａ，９２ｂ，９２ｃ，９２ｄにより案内されて各細管４４に均等に流れ込むこととなり、入口水室４２ａに滞留することはない。この場合、冷却水は、ガイド板９２ａ，９２ｂ，９２ｃ，９２ｄの取付領域には流れにくいことから、この領域への洗浄ボールの流れ込みはほとんどない。
【０１３３】
また、冷却水の流動形態、例えば、冷却水に洗浄ボールが混入していないときと冷却水に洗浄ボールが混入したとき、または、冷却水の流量や流速、偏流などに応じて、駆動装置９３ａ，９３ｂによりガイド板９２ａ，９２ｂ，９２ｃ，９２ｄを移動し、入口水室４２ａへの突出量を調整する。そのため、ガイド板９２ａ，９２ｂ，９２ｃ，９２ｄを、洗浄ボールが混入した冷却水が流れるときに突出する使用位置と、冷却水だけが流れるときに退避させる退避位置とに移動し、入口水室４２ａ内で冷却水の最適な流れを生成することができる。
【０１３４】
なお、ガイド板９２ａ，９２ｂ，９２ｃ，９２ｄの移動形態は、上記構成に限るものではない。例えば、図１９に示すように、ガイド板９２ａ，９２ｂ，９２ｃ，９２ｄを、入口水室４２ａに設けられた駆動装置９４ａ，９４ｂにより上下方向に回動可能に設けてもよい。
【０１３５】
このように実施例１１の復水器にあっては、ハウジング４１の端部に入口水室４２ａを区画し、複数の細管４４の一端部をこの入口水室４２ａに連通するように連結し、入口水室４２ａの下部に冷却水の取水管２７ａの端部を連結し、入口水室４２ａに冷却水を複数の細管４４に導くガイド板９２ａ，９２ｂ，９２ｃ，９２ｄを設け、駆動装置９３ａ，９３ｂにより移動可能、または、駆動装置９４ａ，９４ｂにより回動可能に設けられている。
【０１３６】
従って、冷却水は、取水管２７ａから入口水室４２ａ内を流入するとき、ガイド板９２ａ，９２ｂ，９２ｃ，９２ｄにより案内されることとなり、細管ブロック４４ａにおける各細管４４に対してスムーズに流れ込むこととなり、蒸気との冷却効率の向上を可能とすることができる。また、細管４４の洗浄作業時に、冷却水に洗浄ボールを混入して洗浄作業を行うとき、この洗浄ボールは、入口水室４２ａに滞留せずに各細管４４にスムーズに流れ込むことで、細管４４の洗浄作業を適正に行うことができ、また、この洗浄ボールの回収効率を向上することができる。
【０１３７】
また、実施例１１の復水器では、冷却水の流動形態に応じて、駆動装置９３ａ，９３ｂによりガイド板９２ａ，９２ｂ，９２ｃ，９２ｄを移動、または、駆動装置９４ａ，９４ｂによりガイド板９２ａ，９２ｂ，９２ｃ，９２ｄを回動し、使用位置と退避位置に移動可能としている。従って、入口水室４２ａ内で冷却水の最適な流れを生成することができ、また、ガイド板９２ａ，９２ｂ，９２ｃ，９２ｄが退避位置にあるときには，冷却水の圧力損失を低減することができる。
【実施例１２】
【０１３８】
図２０は、本発明の実施例１２に係る復水器を表す全体構成図、図２１は、実施例１２の復水器における入口水室の正面概略図である。なお、上述した実施例と同様の機能を有する部材には、同一の符号を付して詳細な説明は省略する。
【０１３９】
実施例１２にて、図２０及び図２１に示すように、復水器１００は、ハウジング１０１と、入口水室１０２（１０２ａ，１０２ｂ），１０３（１０３ａ，１０３ｂ）及び出口水室１０４（１０４ａ，１０４ｂ），１０５（１０５ａ，１０５ｂ）と、多数の細管１０６（細管ブロック１０６ａ，１０６ｂ），１０７（細管ブロック１０７ａ，１０７ｂ）とから構成されている。ここで、細管ブロック１０７ｂは、図示を省略している。
【０１４０】
ハウジング１０１は、蒸気の流れ方向（本実施例では、上下方向）に２分割されており、上部ハウジング１０１ａと下部ハウジング１０１ｂが溶接により接合されて構成されている。ハウジング１０１は、その長手方向（水平方向）の一端部に４つの入口水室１０２ａ，１０２ｂ，１０３ａ，１０３ｂが鉛直方向及び水平方向に並んで設けられ、他端部に２つの出口水室１０４ａ，１０４ｂ，１０５ａ，１０５ｂが同様に並んで設けられている。
【０１４１】
多数の細管１０６，１０７は、ハウジング１０１の内部に配設され、同数の細管１０６，１０７からなる４つの細管ブロック１０６ａ，１０６ｂ，１０７ａ，１０７ｂとして構成されている。そして、各細管ブロック１０６ａ，１０６ｂ，１０７ａ，１０７ｂを構成する複数の細管１０６，１０７は、一端部が管板１０８ａ，１０８ｂ，１０９ａ，１０９ｂに貫通するように支持されている。そのため、入口水室１０２ａ，１０２ｂ，１０３ａ，１０３ｂと出口水室１０４ａ，１０４ｂ，１０５ａ，１０５ｂは、細管ブロック１０６ａ，１０６ｂ，１０７ａ，１０７ｂの各細管１０６，１０７によりそれぞれ連通している。また、各細管１０６，１０７は、ハウジング１０１内にて、複数の支持板１１０を貫通して支持されている。
【０１４２】
この場合、多数の細管１０６，１０７は、蒸気の流れ方向に分割される複数の細管ブロック１０６ａ，１０６ｂ，１０７ａ，１０７ｂを構成し、入口水室１０２ａ，１０２ｂ，１０３ａ，１０３ｂは、複数の細管ブロック１０６ａ，１０６ｂ，１０７ａ，１０７ｂに対応して複数設けられることとなる。
【０１４３】
入口水室１０２ａ，１０２ｂ，１０３ａ，１０３ｂは、ほぼ同様に形状をなし、半球の中空形状をなし、ハウジング１０１の端部に管板１０８ａ，１０８ｂ，１０９ａ，１０９ｂを介して固定されている。そして、一方の入口水室１０２ａ，１０３ａと他方の入口水室１０２ｂ，１０３ｂは、細管ブロック１０６ａ，１０６ｂ，１０７ａ，１０７ｂの連結部に対向する位置にチャンバ１１１，１１２が連結され、このチャンバ１１１，１１２は、下部に取水管１１３，１１４が連結され、この取水管１１３，１１４を通して各入口水室１０２ａ，１０２ｂ，１０３ａ，１０３ｂに冷却水を流入可能となっている。
【０１４４】
この場合、チャンバ１１１，１１２から入口水室１０２ａ，１０２ｂ，１０３ａ，１０３ｂへの冷却水の流入口（流入部）１１１ａ，１１１ｂ，１１２ａ，１１２ｂは、入口水室１０２ａ，１０２ｂ，１０３ａ，１０３ｂにおける多数の細管１０６，１０７の連結部、つまり、管板１０８ａ，１０８ｂ，１０９ａ，１０９ｂに対向する位置である。そして、細管１０６，１０７における冷却水の流動方向と、流入口１１１ａ，１１１ｂ，１１２ａ，１１２ｂから入口水室１０２ａ，１０２ｂ，１０３ａ，１０３ｂに流入する冷却水の流動方向とが、ほぼ直線状となっている。また、チャンバ１１１，１１２は、冷却水の流れが多数の細管１０６，１０７を流れる冷却水の流れと交差するように取水管１１３，１１４が配置されている。
【０１４５】
一方、出口水室１０４ａ，１０４ｂ，１０５ａ，１０５ｂは、ほぼ同様に形状をなし、半球の中空形状をなし、ハウジング１０１の端部に固定されている。そして、一方の出口水室１０４ａ，１０５ａと他方の出口水室１０４ｂ，１０５ｂは、細管ブロック１０６ａ，１０６ｂ，１０７ａ，１０７ｂの連結部に対向する位置にチャンバ１１５，１１６が連結され、このチャンバ１１５，１１６は、下部に排水管１１７，１１８が連結され、この取水管１１７，１１８を通して各出口水室１０４ａ，１０４ｂ，１０５ａ，１０５ｂの冷却水を排出可能となっている。
【０１４６】
従って、蒸気は、蒸気流入口からハウジング１０１内に入り、複数の細管１０６，１０７と接触する。一方、冷却水は、取水管１１３，１１４からチャンバ１１１，１１２の下部に流入し、このチャンバ１１１，１１２から入口水室１０２ａ，１０２ｂ，１０３ａ，１０３ｂに流れ込む。そして、この入口水室１０２ａ，１０２ｂ，１０３ａ，１０３ｂに流れ込んだ冷却水は、各細管ブロック１０６ａ，１０６ｂ，１０７ａ，１０７ｂの細管１０６，１０７に流れ込む。そのため、ハウジング１０１内を上部から下部に流れる蒸気と各細管１０６，１０７内を水平に流れる冷却水との間で熱交換が行われ、蒸気は凝縮して復水となり、排水口から排出される。また、蒸気を冷却した冷却水は、各細管１０６，１０７から出口水室１０４ａ，１０４ｂ，１０５ａ，１０５ｂを通してチャンバ１１５，１１６に流れ、排水管１１７，１１８から排出される。
【０１４７】
この冷却水の流れにおいて、本実施例では、取水管１１３，１１４がチャンバ１１１，１１２を介して入口水室１０２ａ，１０２ｂ，１０３ａ，１０３ｂに連結されることで、チャンバ１１１，１１２から入口水室１０２ａ，１０２ｂ，１０３ａ，１０３ｂを介して各細管１０６，１０７へ流れる冷却水の流れが直線状となっている。そのため、取水管１１３，１１４からチャンバ１１１，１１２に流入した冷却水は、動圧が低下して静圧が上昇してから入口水室１０２ａ，１０２ｂ，１０３ａ，１０３ｂに流入し、この入口水室１０２ａ，１０２ｂ，１０３ａ，１０３ｂ内を広がるように流れ、この流れと略平行な各細管１０６，１０７にスムーズに流れ込むこととなる。
【０１４８】
また、入口水室１０２ａ，１０２ｂ，１０３ａ，１０３ｂや各細管１０６，１０７の内面が貝類などの付着や水垢などで汚れた場合には、洗浄ボールを用いてこの付着物を除去する洗浄作業を行う。即ち、１１７，１１８の所定の箇所から多数の洗浄ボールを入れ、チャンバ１１１，１１２から入口水室１０２ａ，１０２ｂ，１０３ａ，１０３ｂを介して各細管１０６，１０７に導入し、内面の付着物をこの洗浄ボールにより除去する。このとき、上述したように、冷却水は、チャンバ１１１，１１２で動圧が低下してから入口水室１０２ａ，１０２ｂ，１０３ａ，１０３ｂに流入され、各細管１０６，１０７に流れ込むため、洗浄ボールも同様に、チャンバ１１１，１１２から入口水室１０２ａ，１０２ｂ，１０３ａ，１０３に流入される冷却水の偏流により適正に各細管１０６，１０７に流れ込むこととなる。そのため、洗浄ボールがチャンバ１１１，１１２や入口水室１０２ａ，１０２ｂ，１０３ａ，１０３ｂの隅部などに滞留することはなく、ほぼ全量が細管１０６，１０７内にほぼ均等に流れ込んで適正に洗浄することができる。
【０１４９】
このように実施例１２の復水器にあっては、ハウジング１０１の端部に入口水室１０２ａ，１０２ｂ，１０３ａ，１０３を区画し、複数の細管１０６，１０７の一端部をこの入口水室１０２ａ，１０２ｂ，１０３ａ，１０３ｂに連通するように連結し、入口水室１０２ａ，１０２ｂ，１０３ａ，１０３ｂにおける多数の細管１０６，１０７の連結部に対向する位置にチャンバ１１１，１１２を連結し、このチャンバ１１１，１１２の下部に冷却水の取水管１１３，１１４の端部を連結している。
【０１５０】
従って、冷却水は、取水管１１３，１１４からチャンバ１１１，１１２に入り、このチャンバ１１１，１１２で動圧が低下した後、流入口１１１ａ，１１１ｂ，１１２ａ，１１２ｂから入口水室１０２ａ，１０２ｂ，１０３ａ，１０３ｂに入り、ここでの圧力損失が減少することから、多数の細管１０６，１０７にスムーズに流れ込むこととなり、蒸気との冷却効率の向上を可能とすることができる。この場合、多数の細管１０６，１０７の付着物を除去するために、冷却水に洗浄ボールを混入して洗浄作業を行う場合であっても、この洗浄ボールは、チャンバ１１１，１１２や入口水室１０２ａ，１０２ｂ，１０３ａ，１０３ｂに滞留せずに各細管１０６，１０７にスムーズで、且つ、均等に流れ込むことで、細管１０６，１０７の洗浄作業を適正に行うことができ、また、この洗浄ボールの回収効率を向上することができる。
【０１５１】
この場合、多数の細管１０６，１０７を、蒸気の流れ方向に分割される複数の細管ブロック１０６ａ，１０６ｂ，１０７ａ，１０７ｂにより構成し、入口水室１０２ａ，１０２ｂ，１０３ａ，１０３ｂを複数の細管ブロック１０６ａ，１０６ｂ，１０７ａ，１０７ｂに対応して複数設けている。従って、冷却水は、チャンバ１１１，１１２の流入口１１１ａ，１１１ｂ，１１２ａ，１１２ｂから複数の入口水室１０２ａ，１０２ｂ，１０３ａ，１０３ｂに流れ、この入口水室１０２ａ，１０２ｂ，１０３ａ，１０３ｂから各細管ブロック１０６ａ，１０６ｂ，１０７ａ，１０７ｂの細管１０６，１０７にスムーズに流れ込むこととなり、冷却効率の向上を可能とすることができる。
【０１５２】
また、複数の入口水室１０２ａ，１０２ｂ，１０３ａ，１０３ｂにおける細管ブロック１０６ａ，１０６ｂ，１０７ａ，１０７ｂの連結部に対向する位置にチャンバ１１１，１１２を連結し、チャンバ１１１，１１２に入口水室１０２ａ，１０２ｂ，１０３ａ，１０３ｂへの流入口１１１ａ，１１１ｂ，１１２ａ，１１２ｂを設けている。従って、冷却水は、一旦チャンバに流入し、このチャンバ１１１，１１２で動圧が低下した後、流入口１１１ａ，１１１ｂ，１１２ａ，１１２ｂから入口水室１０２ａ，１０２ｂ，１０３ａ，１０３ｂに流れ込むことで圧力損失が低減され、冷却水を各細管１０６，１０７にスムーズに流し込むことができる。
【０１５３】
また、実施例１２の復水器では、ハウジング１０１を分割される細管ブロック１０６ａ，１０６ｂ，１０７ａ，１０７ｂの分割数に対応して複数に分割している。この場合、細管ブロック１０６ａ，１０６ｂ，１０７ａ，１０７ｂを上下に２分割することで、ハウジング１０１も上下に２分割している。従って、分割された各ハウジング１０１ａ，１０１ｂの小型化が可能となり、搬送を容易に行うことが可能となる。
【実施例１３】
【０１５４】
図２２は、本発明の実施例１３に係る復水器における入口水室の正面概略図である。なお、上述した実施例と同様の機能を有する部材には、同一の符号を付して詳細な説明は省略する。
【０１５５】
実施例１３の復水器は、図２２に示すように、ハウジング１０１と、入口水室１０２ａ，１０３ａ及び出口水室１０４ａ，１０５ａ（図２０参照）と、多数の細管１０６（細管ブロック１０６ａ，１０７ａ）とから構成されている。そして、入口水室１０２ａ，１０３ａは、半球の中空形状をなし、ハウジング１０１の端部に管板１０８ａ，１０９ａを介して固定されており、上下の入口水室１０２ａ，１０３ａは、細管ブロック１０６ａ，１０７ａの連結部に対向する位置にチャンバ１１１が連結され、このチャンバ１１１は、下部に取水管１１３が連結されている。即ち、チャンバ１１１は、流入口１１１ａ，１１１ｂを介して入口水室１０２ａ，１０３ａが連結されている。
【０１５６】
また、チャンバ１１１は、内部に取水管１１３からチャンバ１１１に流れ込んだ冷却水を複数の入口水室１０２ａ，１０３ａに導くガイド１２１，１２２を設けている。ガイド１２１は、取水管１１３から入口水室１０３ａの流入口１１１ｂに流れる冷却水経路の内側に固定されており、取水管１１３の出口部と入口水室１０３ａの流入口１１１ｂとを滑らかに連続させるような湾曲形状をなしている。また、ガイド１２２は、取水管１１３から入口水室１０２ａの流入口１１１ａに流れる冷却水経路の内側に固定されており、取水管１１３からチャンバ１１１内に導入された冷却水と入口水室１０２ａの流入口１１１ａとを滑らかに連続させるような湾曲形状をなしている。
【０１５７】
従って、冷却水は、取水管１１３からチャンバ１１１の下部に流入し、このチャンバ１１１から各入口水室１０２ａ，１０３ａに流れ込み、各入口水室１０２ａ，１０３ａから各細管ブロック１０６ａ，１０７ａの細管１０６，１０７に流れ込む。このとき、取水管１１３内の冷却水は、各ガイド板１２１，１２２にガイドされながら流入口１１１ａ，１１１ｂを介して入口水室１０２ａ，１０３ａに流れ込む。そのため、チャンバ１１１に流入した冷却水は、動圧が低下し、且つ、ガイド１２１，１２２により整流されてから入口水室１０２ａ，１０３ａに流入することとなり、ここでの圧力損失が低下し、各細管１０６，１０７にスムーズに流れ込む。また、多数の洗浄ボールも、チャンバ１１１から入口水室１０２ａ，１０３ａに流入される冷却水の偏流により適正に各細管１０６，１０７に流れ込むこととなり、チャンバ１１１，１１２や入口水室１０２ａ，１０２ｂ，１０３ａ，１０３ｂに滞留することはなく、細管１０６，１０７内にほぼ均等に流れ込んで適正に洗浄することができる。
【０１５８】
このように実施例１３の復水器にあっては、ハウジング１０１の端部に入口水室１０２ａ，１０３ａを区画し、複数の細管１０６，１０７の一端部をこの入口水室１０２ａ，１０３ａに連通するように連結し、入口水室１０２ａ，１０３ａにおける多数の細管１０６，１０７の連結部に対向する位置に冷却水が胴に有されるチャンバ１１１を連結し、このチャンバ１１１に流れ込んだ冷却水を各入口水室１０２ａ，１０３ａに導くガイド１２１，１２２を設けている。
【０１５９】
従って、冷却水は、取水管１１３からチャンバ１１１に入り、このチャンバ１１１で動圧が低下した後、ガイド１２１，１２２にガイドされて流入口１１１ａ，１１２ａから入口水室１０２ａ，１０３ａに入り、ここでの圧力損失が減少することから、多数の細管１０６，１０７に安定して流れ込むこととなり、蒸気との冷却効率の向上を可能とすることができる。また、洗浄ボールは、チャンバ１１１や入口水室１０２ａ，１０３ａに滞留せずに各細管１０６，１０７にスムーズで、且つ、均等に流れ込むことで、細管１０６，１０７の洗浄作業を適正に行うことができ、また、この洗浄ボールの回収効率を向上することができる。
【実施例１４】
【０１６０】
図２３は、本発明の実施例１４に係る復水器における入口水室の正面概略図である。なお、上述した実施例と同様の機能を有する部材には、同一の符号を付して詳細な説明は省略する。
【０１６１】
実施例１４の復水器は、図２３に示すように、ハウジング１０１と、入口水室１０２ａ，１０３ａ及び出口水室１０４ａ，１０５ａ（図２０参照）と、多数の細管１０６（細管ブロック１０６ａ，１０７ａ）とから構成されている。そして、入口水室１０２ａ，１０３ａは、半球の中空形状をなし、ハウジング１０１の端部に管板１０８ａ，１０９ａを介して固定されており、上下の入口水室１０２ａ，１０３ａは、細管ブロック１０６ａ，１０７ａの連結部に対向する位置にチャンバ１１１が連結され、このチャンバ１１１は、下部に取水管１１３が連結されている。即ち、チャンバ１１１は、流入口１１１ａ，１１１ｂを介して入口水室１０２ａ，１０３ａが連結されている。
【０１６２】
また、チャンバ１１１は、内部に取水管１１３からチャンバ１１１に流れ込んだ冷却水を複数の入口水室１０２ａ，１０３ａに導くフローガイド１３１，１３２を設けている。フローガイド１３１は、取水管１１３から入口水室１０３ａの流入口１１１ｂに流れる冷却水経路に沿って固定されており、この冷却水経路に沿った湾曲形状をなしている。また、フローガイド１３２は、取水管１１３から入口水室１０２ａの流入口１１１ａに流れる冷却水経路に沿って固定されており、この冷却水経路に沿った湾曲形状をなしている。
【０１６３】
従って、冷却水は、取水管１１３からチャンバ１１１の下部に流入し、このチャンバ１１１から各入口水室１０２ａ，１０３ａに流れ込み、各入口水室１０２ａ，１０３ａから各細管ブロック１０６ａ，１０７ａの細管１０６，１０７に流れ込む。このとき、取水管１１３内の冷却水は、各ガイド板１２１，１２２にガイドされながら流入口１１１ａ，１１１ｂを介して入口水室１０２ａ，１０３ａに流れ込む。そのため、チャンバ１１１に流入した冷却水は、動圧が低下し、且つ、フローガイド１３１，１３２により整流されてから入口水室１０２ａ，１０３ａに流入することとなり、ここでの圧力損失が低下し、各細管１０６，１０７にスムーズに流れ込む。また、多数の洗浄ボールも、チャンバ１１１から入口水室１０２ａ，１０３ａに流入される冷却水の偏流により適正に各細管１０６，１０７に流れ込むこととなり、チャンバ１１１，１１２や入口水室１０２ａ，１０２ｂ，１０３ａ，１０３ｂに滞留することはなく、細管１０６，１０７内にほぼ均等に流れ込んで適正に洗浄することができる。
【０１６４】
このように実施例１４の復水器にあっては、ハウジング１０１の端部に入口水室１０２ａ，１０３ａを区画し、複数の細管１０６，１０７の一端部をこの入口水室１０２ａ，１０３ａに連通するように連結し、入口水室１０２ａ，１０３ａにおける多数の細管１０６，１０７の連結部に対向する位置に冷却水が胴に有されるチャンバ１１１を連結し、このチャンバ１１１に流れ込んだ冷却水を各入口水室１０２ａ，１０３ａに導くフローガイド１３１，１３２を設けている。
【０１６５】
従って、冷却水は、取水管１１３からチャンバ１１１に入り、このチャンバ１１１で動圧が低下した後、フローガイド１３１，１３２にガイドされて流入口１１１ａ，１１２ａから入口水室１０２ａ，１０３ａに入り、ここでの圧力損失が減少することから、多数の細管１０６，１０７に安定して流れ込むこととなり、蒸気との冷却効率の向上を可能とすることができる。また、洗浄ボールは、チャンバ１１１や入口水室１０２ａ，１０３ａに滞留せずに各細管１０６，１０７にスムーズで、且つ、均等に流れ込むことで、細管１０６，１０７の洗浄作業を適正に行うことができ、また、この洗浄ボールの回収効率を向上することができる。
【０１６６】
なお、上述した各実施例では、本発明の復水器を、加圧水型原子炉（ＰＷＲ：Pressurized Water Reactor）に適用して説明したが、沸騰水型原子炉（ＢＷＲ：Boiling Water Reactor）に適用することもできる。また、原子力プラントに拘らず、火力プラントなど別の発電プラントであってもよい。
【産業上の利用可能性】
【０１６７】
本発明に係る復水器は、入口水室における多数の細管の連結部に対向する位置に冷却媒体の流入部を設けることで、入口水室から複数の細管への冷却媒体の流れをスムーズにして冷却効率の向上を可能とするものであり、いずれの発電プラントにも適用することができる。
【符号の説明】
【０１６８】
１１  原子炉格納容器
１２  加圧水型原子炉
１３  蒸気発生器
１７  蒸気タービン
１９  高圧タービン
２０  低圧タービン
２１  発電機
２６，１００  復水器
２７，２７ａ，２７ｂ  取水管（流入部、流入管）
２８，２８ａ，２８ｂ  排水管
３０  冷却水排管
４１，１０１  ハウジング
４２，４２ａ，４２ｂ，７１，７３，７５，１０２，１０２ａ，１０２ｂ，１０３，１０３ａ，１０３ｂ  入口水室
４３，４３ａ，４３ｂ，１０４，１０４ａ，１０４ｂ，１０５，１０５ａ，１０５ｂ  出口水室
４４，１０６，１０７  細管
４４ａ，４４ｂ，１０６ａ，１０６ｂ，１０７ａ，１０７ｂ  細管ブロック
５２，５３，１０８ａ，１０８ｂ，１０９ａ，１０９ｂ  管板
６１  スロープ（通路拡大部）
６２  テーパ部（通路拡大部）
７２，７４，７６  貫通孔
８１，８２，８５，８６，９１，９２ａ，９２ｂ，９２ｃ，９２ｄ  ガイド板
８７，９３ａ，９３ｂ，９４ａ，９４ｂ  駆動装置
１１１，１１２，１１５，１１６  チャンバ
１１１ａ，１１ｂ，１１２ａ，１１２ｂ  流入口（流入部）
１１３，１１４  取水管（取水部）
１２１，１２２  ガイド
１３１，１３２  フローガイド
【図１】
2011145057.tif 000003
【図２】
2011145057.tif 000004
【図３】
2011145057.tif 000005
【図４】
2011145057.tif 000006
【図５】
2011145057.tif 000007
【図６】
2011145057.tif 000008
【図７】
2011145057.tif 000009
【図８】
2011145057.tif 000010
【図９】
2011145057.tif 000011
【図１０】
2011145057.tif 000012
【図１１】
2011145057.tif 000013
【図１２】
2011145057.tif 000014
【図１３】
2011145057.tif 000015
【図１４】
2011145057.tif 000016
【図１５】
2011145057.tif 000017
【図１６】
2011145057.tif 000018
【図１７】
2011145057.tif 000019
【図１８】
2011145057.tif 000020
【図１９】
2011145057.tif 000021
【図２０】
2011145057.tif 000022
【図２１】
2011145057.tif 000023
【図２２】
2011145057.tif 000024
【図２３】
2011145057.tif 000025